(57)【要約】【課題】　エステラーゼと界面活性剤とを含む試薬中においてエステラーゼ活性が著しく低下する現象が認められたことにより、エステラーゼ活性低下の問題を解消した脂質測定試薬を提供すること。【解決手段】　エステラーゼと界面活性剤を含む試薬においてエステラーゼ活性が著しく低下する原因が、界面活性剤の酸化により生成された酸化物質にあることを見出し、これに基づき、界面活性剤の酸化により生成された酸化物質の作用および／またはその生成を抑制すること、あるいは酸化され難い界面活性剤を選択して用いることにより界面活性剤を含む脂質測定試薬中のエステラーゼの安定性低下を防止できることを見出して本発明を達成した。エステラーゼと界面活性剤とを含有する組成物において抗酸化剤（例えば、ＢＨＴ、α−トコフェロール、β−チオジグリコール、およびメチオニンからなる群から選ばれる少なくとも１）をその有効量含有させることからなる。【特許請求の範囲】
【請求項１】
　エステラーゼ、界面活性剤及び抗酸化剤を含有する脂質測定試薬。
【請求項２】
　前記エステラーゼがリパーゼ、コレステロールエステラーゼから選択される１以上の酵素である請求項１に記載の脂質測定試薬。
【請求項３】
　前記リパーゼが、リポプロテインリパーゼ、ホスホリパーゼ、膵リパーゼ、肝性トリアシルグリセロールリパーゼ、糖脂質分解リパーゼ、スフィンゴ脂質分解リパーゼ及びホルモン感受性リパーゼから選択される１以上のリパーゼである請求項２に記載の脂質測定試薬。
【請求項４】
　前記界面活性剤が非イオン界面活性剤、陰イオン性界面活性剤、陽イオン性界面活性剤及び両性イオン界面活性剤から選択される１以上の界面活性剤である請求項１に記載の脂質測定試薬。
【請求項５】
　前記界面活性剤がポリオキシエチレン系界面活性剤である請求項１に記載の脂質測定試薬。
【請求項６】
　前記界面活性剤がポリオキシエチレンイソオクチルフェニルエーテル、ポリオキシエチレン２級アルキルエーテル、ポリオキシエチレンオクチルフェニルエーテルから選択される請求項５に記載の脂質測定試薬。
【請求項７】
　抗酸化剤が、ブチルヒドロキシトルエン（ＢＨＴ）、α−トコフェロール、β−チオジグリコール、メチオニン、ビタミンＣ、ユビキノール、尿酸、ビリルビン、グルタチオン、ピロロキノリンキノン、カロチノイド、プロブコール、ポリフェノール、ブチルヒドロキシアニソール、チオタウリン、没食子酸、トランスフェリン及びフィチン酸から選択される、１以上の物質である請求項１に記載の脂質測定試薬。
【請求項８】
　抗酸化剤の濃度が、１〜１００ｍＭである請求項１に記載の脂質測定試薬。
【請求項９】
　抗酸化剤の濃度が、１〜１０ｍＭである請求項１に記載の脂質測定試薬。
【請求項１０】
　前記脂質測定試薬が中性脂肪測定試薬である請求項１に記載の脂質測定試薬。
【請求項１１】
　前記中性脂肪測定試薬が、検体と第１試薬を反応させた後、第２試薬を反応させることによって検体中の中性脂肪を定量する中性脂肪測定試薬であり、
第１試薬はＡＴＰ、グルコース−６−リン酸脱水素酵素およびグリセロールキナーゼを含有し、第２試薬はエステラーゼ、界面活性剤、抗酸化剤、グルコース、ＮＡＤ（Ｐ）およびＡＤＰ依存ヘキソキナーゼを含有する請求項１０に記載の脂質測定試薬。
【請求項１２】
　前記脂質測定試薬が総コレステロール測定試薬である請求項１に記載の脂質測定試薬。
【請求項１３】
　前記総コレステロール測定試薬が、検体と第１試薬を反応させた後、第２試薬を反応させることによって検体中の総コレステロールを定量する総コレステロール測定試薬であり、
第１試薬はエステラーゼ、界面活性剤、抗酸化剤およびＮＡＤ（Ｐ）を含有し、
第２試薬はコレステロール脱水素酵素を含有する請求項１２に記載の脂質測定試薬。
【請求項１４】
　前記脂質測定試薬が高密度リポ蛋白質コレステロール測定試薬である請求項１に記載の脂質測定試薬。
【請求項１５】
　前記高密度リポ蛋白質コレステロール測定試薬が、検体と第１試薬を反応させた後、第２試薬を反応させることによって検体中の高密度リポ蛋白質コレステロールを定量する高密度リポ蛋白質コレステロール測定試薬であり、
第１試薬はＮＡＤ（Ｐ）を含有し、
第２試薬はエステラーゼ、界面活性剤、抗酸化剤およびコレステロール脱水素酵素を含有する請求項１４に記載の脂質測定試薬。
【請求項１６】
　前記脂質測定試薬が低密度リポ蛋白質コレステロール測定試薬である請求項１に記載の脂質測定試薬。
【請求項１７】
　前記低密度リポ蛋白質コレステロール測定試薬が、検体と第１試薬を反応させた後、第２試薬を反応させることによって検体中の低密度リポ蛋白質コレステロールを定量する低密度リポ蛋白質コレステロール測定試薬であり、
第１試薬はエステラーゼ、界面活性剤、抗酸化剤、ＮＡＤ（Ｐ）、ＬＤＬ反応阻害剤を含有し、
第２試薬はコレステロール脱水素酵素を含有する請求項１６に記載の脂質測定試薬。
【請求項１８】
　エステラーゼ、界面活性剤及び抗酸化剤を含有する脂質測定試薬であって、界面活性剤が酸化をうける条件下で酸化物質を実質的に生じない界面活性剤であることを特徴とする脂質測定試薬。
【請求項１９】
　前記界面活性剤が高純度のポリオキシエチレンイソオクチルフェニルエーテル、またはポリオキシエチレンノニルフェニルエーテルから選択される１以上の界面活性剤である請求項１８に記載の脂質測定試薬。
【発明の詳細な説明】
【技術分野】
【０００１】
　本発明は、エステラーゼを含有する脂質測定試薬に関する。さらに詳しくは、臨床化学の分野において用いられる中性脂肪測定試薬、総コレステロール測定試薬、高密度リポ蛋白質コレステロール測定試薬、低密度リポタンパク質コレステロール測定試薬に関する。
【背景技術】
【０００２】
　エステラーゼは加水分解酵素のうちエステルを加水分解する酵素の総称であり、EC3.1群に分類され、リパーゼ、コレステロールエステラーゼなどがある。リパーゼはグリセロールエステルヒドロラーゼとも呼ばれ、グリセロールエステルを加水分解し、脂肪酸を遊離する酵素群であり、膵リパーゼ、リポプロテインリパーゼ（ＬＰＬ）、肝性トリアシルグリセロールリパーゼ（ＨＴＧＬ）、ホスホリパーゼ、糖脂質分解リパーゼ、スフィンゴ脂質分解リパーゼ、およびホルモン感受性リパーゼなど、その基質特異性や局在の異なるものが数多く知られている。
【０００３】
　生体試料中の特定成分を分析する臨床検査分野においては、エステラーゼは、検体中の脂質成分、例えば中性脂質、コレステロール、リン脂質、糖脂質、およびスフィンゴ脂質など、並びにリポ蛋白質の定量に広く用いられている。
【０００４】
　臨床検査分野において用いる試薬は、測定値の正確性および精密性が求められる。正確な分析を妨げる要因の１つとして、生体試料の濁りが問題となっている。試料中の濁りの主な原因は、リポ蛋白質の一種類であるカイロミクロンや超低比重リポ蛋白質であることが多い。これらのリポ蛋白質は非極性の脂質である中性脂肪の含有率が高いため、水溶液中で濁りやすいという性質を有している。その影響を回避することを目的として、これらのリポ蛋白質を可溶化するためにリパーゼを試薬に添加する方法が開示されている（特許文献１）。試料の濁りの影響を回避する方法としては、この他に種々の界面活性剤により、濁りの原因となっているリポ蛋白質を可溶化する技術が開示されている（特許文献２〜４）。リパーゼを反応成分に使用するリポ蛋白質や脂質成分の測定等には、リパーゼを添加する方法は適用できないため、界面活性剤を添加する方法が用いられる。
【０００５】
　一方、正確な分析を妨げる別の要因として、試薬の安定性が問題となっている。臨床検査に用いられる多くの試薬は、液状あるいは凍結乾燥した状態で供給されている。凍結乾燥試薬は使用するとき、一定の溶解液で溶解される。測定後の残余試薬は冷所に保存され、次の測定に使用される。したがって、供給されるまでの期間、また保存期間中の試薬の安定性および液状製品の安定性、並びに液状製品の使用時の安定性は十分確保されていなくてはならない。
【０００６】
　しかし、一般的にエステラーゼなどの酵素は不安定であることが知られている。現状では、液状製品および乾燥製剤の溶解後の使用期限の短縮や安定化物質の添加などによりこの問題に対応している。例えば、エステラーゼを試薬として用いるとき、その安定化効果を期待して界面活性剤を用いることがある。また、エステラーゼは脂質と反応する場として界面（水と油とが接触する場所）が必要と考えられているため、このような場を創出してリパーゼの酵素活性を増強するめに、エステラーゼを含む試薬中に界面活性剤を添加することが多い。
【特許文献１】特開平０９−２８８１１１号公報
【特許文献２】特開昭５９−１６２４５４号公報
【特許文献３】特開昭６１−９５２４７号公報
【特許文献４】特開２００１−１８８０６５号公報
【発明の開示】
【発明が解決しようとする課題】
【０００７】
　かかる現状において、エステラーゼと界面活性剤とを含む試薬中においてエステラーゼ活性が著しく低下する現象が認められた。本発明の目的は、エステラーゼ活性低下の問題を解消した脂質測定試薬を提供することにある。
【課題を解決するための手段】
【０００８】
　本発明者らは鋭意研究を重ねた結果、エステラーゼと界面活性剤を含む試薬においてエステラーゼ活性が著しく低下する原因が、界面活性剤の酸化により生成された酸化物質にあることを見出した。これに基づき、界面活性剤の酸化により生成された酸化物質の作用および／またはその生成を抑制すること、あるいは酸化され難い界面活性剤を選択して用いることにより界面活性剤を含む脂質測定試薬中のエステラーゼの安定性低下を防止できることを見出して本発明を達成した。
【０００９】
　すなわち本発明は、
１．エステラーゼ、界面活性剤及び抗酸化剤を含有する脂質測定試薬、
２．前記エステラーゼがリパーゼ、コレステロールエステラーゼから選択される１以上の酵素である前項１に記載の脂質測定試薬、
３．前記リパーゼがリポプロテインリパーゼ、ホスホリパーゼ、膵リパーゼ、肝性トリアシルグリセロールリパーゼ、糖脂質分解リパーゼ、スフィンゴ脂質分解リパーゼ及びホルモン感受性リパーゼから選択される１以上のリパーゼである前項２に記載の脂質測定試薬、
４．前記界面活性剤が非イオン界面活性剤、陰イオン性界面活性剤、陽イオン性界面活性剤及び両性イオン界面活性剤から選択される１以上の界面活性剤である前項１に記載の脂質測定試薬、
５．前記界面活性剤がポリオキシエチレン系界面活性剤である前項１に記載の脂質測定試薬、
６．前記界面活性剤がポリオキシエチレンイソオクチルフェニルエーテル、ポリオキシエチレン２級アルキルエーテル、ポリオキシエチレンオクチルフェニルエーテルから選択される前項５に記載の脂質測定試薬、
７．抗酸化剤が、ブチルヒドロキシトルエン（ＢＨＴ）、α−トコフェロール、β−チオジグリコール、メチオニン、ビタミンＣ、ユビキノール、尿酸、ビリルビン、グルタチオン、ピロロキノリンキノン、カロチノイド、プロブコール、ポリフェノール、ブチルヒドロキシアニソール、チオタウリン、没食子酸、トランスフェリン及びフィチン酸から選択される、１以上の物質である前項１に記載の脂質測定試薬、
８．抗酸化剤の濃度が、１〜１００ｍＭである前項１に記載の脂質測定試薬、
９．抗酸化剤の濃度が、１〜１０ｍＭである前項１に記載の脂質測定試薬、
１０．前記脂質測定試薬が中性脂肪測定試薬である前項１に記載の脂質測定試薬、
１１．前記中性脂肪測定試薬が、検体と第１試薬を反応させた後、第２試薬を反応させることによって検体中の中性脂肪を定量する中性脂肪測定試薬であり、
第１試薬はＡＴＰ、グルコース−６−リン酸脱水素酵素およびグリセロールキナーゼを含有し、第２試薬はエステラーゼ、界面活性剤、抗酸化剤、グルコース、ＮＡＤ（Ｐ）およびＡＤＰ依存ヘキソキナーゼを含有する前項１０に記載の脂質測定試薬、
１２．前記脂質測定試薬が総コレステロール測定試薬である前項１に記載の脂質測定試薬、
１３．前記総コレステロール測定試薬が、検体と第１試薬を反応させた後、第２試薬を反応させることによって検体中の総コレステロールを定量する総コレステロール測定試薬であり、
第１試薬はエステラーゼ、界面活性剤、抗酸化剤およびＮＡＤ（Ｐ）を含有し、
第２試薬はコレステロール脱水素酵素を含有する前項１２に記載の脂質測定試薬、
１４．前記脂質測定試薬が高密度リポ蛋白質コレステロール測定試薬である前項１に記載の脂質測定試薬、
１５．前記高密度リポ蛋白質コレステロール測定試薬が、検体と第１試薬を反応させた後、第２試薬を反応させることによって検体中の高密度リポ蛋白質コレステロールを定量する高密度リポ蛋白質コレステロール測定試薬であり、
第１試薬はＮＡＤ（Ｐ）を含有し、
第２試薬はエステラーゼ、界面活性剤、抗酸化剤およびコレステロール脱水素酵素を含有する前項１４に記載の脂質測定試薬、
１６．前記脂質測定試薬が低密度リポ蛋白質コレステロール測定試薬である前項１に記載の脂質測定試薬、
１７．前記低密度リポ蛋白質コレステロール測定試薬が、検体と第１試薬を反応させた後、第２試薬を反応させることによって検体中の低密度リポ蛋白質コレステロールを定量する低密度リポ蛋白質コレステロール測定試薬であり、
第１試薬はエステラーゼ、界面活性剤、抗酸化剤、ＮＡＤ（Ｐ）、ＬＤＬ反応阻害剤を含有し、
第２試薬はコレステロール脱水素酵素を含有する前項１６に記載の脂質測定試薬、
１８．エステラーゼ、界面活性剤及び抗酸化剤を含有する脂質測定試薬であって、界面活性剤が酸化をうける条件下で酸化物質を実質的に生じない界面活性剤であることを特徴とする脂質測定試薬、
１９．前記界面活性剤が高純度のポリオキシエチレンイソオクチルフェニルエーテル、またはポリオキシエチレンノニルフェニルエーテルから選択される１以上の界面活性剤である前項１８に記載の脂質測定試薬、
からなる。
【発明を実施するための最良の形態】
【００１０】
　以下、本発明に係る脂質測定試薬についてさらに詳しく説明するが、これらの説明は例示であり、説明のためのものに過ぎず、本発明を何ら限定するものではない。
【００１１】
　本発明は、エステラーゼと界面活性剤とを含有する脂質測定試薬におけるエステラーゼの安定性低下が、当該界面活性剤の酸化により生成された酸化物質によることを見出したことに基づいて達成されたものである。本発明において酸化物質とは、過酸化物、例えば過酸化水素など、酸素フリーラジカル、およびスーパーオキシドアニオンなどを含む。
【００１２】
　一般に界面活性剤は酸化され易いことが知られているが、界面活性剤には酸化され易いものと酸化され難いものがあり、必ずしも全ての界面活性剤が酸化され易いとはいえない。また、酵素が酸化物質により失活され易いことが知られているが、酵素の種類によっても酸化物質による影響を受け易いものと受け難いものがある。さらに界面活性剤には酵素や蛋白質の安定性を保持する作用を有するものもあることから、界面活性剤を含む溶液中でエステラーゼの安定性が低下する原因が界面活性剤の酸化により生成された酸化物質であることは、当業者であっても容易に想到し得るものではなく、本発明において初めて見出されたものである。
【００１３】
　また、界面活性剤に限らず、エステラーゼを含有する脂質測定試薬中に含まれる物質であって、酸化物質を生成し得る物質は、エステラーゼの安定性に影響を及ぼすものと考えられる。しかし、本発明においてはこのような場合でもエステラーゼの安定性を向上させることができる。
【００１４】
　抗酸化剤は酸化物質の作用および／またはその生成を抑制する活性を有する化合物であり、例えば、ブチルヒドロキシトルエン（ｂｕｔｙｌａｔｅｄ　ｈｙｄｒｏｘｙｔｏｌｕｅｎｅ）（ＢＨＴ）、α−トコフェロール、β−チオジグリコール、メチオニン、ビタミンＣ（アスコルビン酸）、ユビキノール、尿酸、ビリルビン、グルタチオン、ピロロキノリンキノン（ＰＱＱ）、カロチノイド（β−カロチン、リコピンなど）、プロブコール、ポリフェノール〔フラボノイド類（カテキン、ルチン、ケルセチンなど）など〕、ブチルヒドロキシアニソール〔ＢＨＡ；ジブチルヒドロキシトルエン（ＢＨＴ）の類似物〕、チオタウリン、没食子酸、トランスフェリン、またはフィチン酸などの抗酸化剤を例示できるがこれらに限定されず、生成される酸化物質の作用および／またはその生成を抑制できる化合物であればよい。さらに、これら化合物は、エステラーゼの失活や活性阻害などの作用をもたないものが好ましい。好ましくは、ブチルヒドロキシトルエン（ｂｕｔｙｌａｔｅｄ　ｈｙｄｒｏｘｙｔｏｌｕｅｎｅ）（ＢＨＴ）、α−トコフェロール、β−チオジグリコール、またはメチオニンが用いられる。当該化合物は、例えば界面活性剤とエステラーゼとを含む組成物に被検化合物を添加して数日間保存後にリパーゼ活性が保持されているものを選択することにより得ることができる（実施例４参照）。
【００１５】
　酸化物質の作用および／またはその生成を抑制するためには、上記化合物、例えば上記抗酸化剤、の１種または２種以上を組み合せて使用することができる。その使用量は、用いる化合物の種類や酸化物質の作用および／またはその生成を抑制する活性、並びに、酸化物質を生成し得る物質、例えば界面活性剤、の種類や濃度、によって適宜変更を加えることが可能であり、簡単な実験的繰り返しにより決定できる。例えば、トリトンＸ−１００（Ｒｏｈｍ＆Ｈａａｓ社）が終濃度０．５重量／容量％〔％（Ｗ／Ｖ）〕になるように調製されたリパーゼ含有組成物においては、ＢＨＴ、α−トコフェロール、β−チオジグリコール、またはメチオニンが、それぞれ終濃度１ｍＭ〜１０ｍＭ、０．０１重量／容量％〜０．１重量／容量％、１ｍＭ〜１００ｍＭ、または１ｍＭ〜１００ｍＭになるように添加されていることが好適である。
【００１６】
　酸化物質の作用および／またはその生成の抑制は、抗酸化剤などの化合物の使用以外に、酸化酵素を用いてその酵素反応を利用することによっても可能である。酸化酵素としては、グルタチオンペルオキシダーゼ、スーパーオキシドジスムターゼ、カタラーゼ、アスコルビン酸ペルオキシダーゼ、ＮＡＤＨペルオキシダーゼ、ホスホリパーゼ・Ａ２−グルタチオンペルオキシダーゼ共役系、アルキルハイドロペルオキシドレダクターゼ、ＮＡＤＨオキシダーゼなどが例示できる。
【００１７】
　本発明が適用される界面活性剤は、非イオン性界面活性剤として、オクチルグルコシド、ペプチルチオグルコシド、デカノイル−Ｎ−メチルグルカミド、ポリオキシエチレンドデシルエーテル、ポリオキシエチレンへプタメチルヘキシルエーテル、ポリオキシエチレンイソオクチルフェニルエーテル（トリトンＸシリーズ）、ポリオキシエチレン２級アルキルエーテル、ポリオキシエチレンオクチルフェニルエーテル、ポリオキシエチレン脂肪酸エステル、スクロース脂肪酸エステル、ポリオキシエチレンソルビトールエステル（Ｔｗｅｅｎシリーズ）などが、陰イオン性界面活性剤として、ドデシル硫酸ナトリウム、ドデシルスルホン酸ナトリウム、ドデシル−Ｎ−サルコシン酸ナトリウム、コール酸ナトリウム、デオキシコール酸ナトリウム、タウロデオキシコール酸ナトリウムなどが、陽イオン性界面活性剤として、セチルトリメチルアンモニウムブロミド、テトラデシルアンモニウムブロミド、ドデシルピリジニウムクロリドなどが、両イオン性界面活性剤として、３−［（３−コラミドプロピル）ジメチルアンモニオ］−１−プロパンスルホン酸（ＣＨＡＰＳ）、３−［（３−コラミドプロピル）ジメチルアンモニオ］−２−ヒドロキシ−１−プロパンスルホン酸（ＣＨＡＰＳＯ）、パルミトイルリゾレシチン、ドデシル−Ｎ−ベタイン、ドデシル−β−アラニンなどが例示できるがこれらに限定されない。
【００１８】
　界面活性剤の中には、酸化を受ける条件下においても酸化物質が実質的に生成されないものがある。このような酸化され難い界面活性剤を選択して用いることも、本発明に係る安定化方法の範囲に含まれる。ここで、界面活性剤が酸化を受ける条件とは、当該界面活性剤の酸化反応が開始し進行する条件をいい、例えば透光性の非密閉容器中で光または熱の影響を長期間、例えば数日間以上受けるといった条件、または透光性の密閉容器中で酸素置換後に露光条件下で撹拌するといった条件が挙げられる。酸化物質が実質的に生成されないとは、例えば、生成された過酸化水素様物質が、リパーゼ活性に影響しない程度に少ないことを意味する。具体的には例えば上記条件下で酸化されたときに生成された過酸化水素様物質が約５μＭ以下であることを示す。かかる酸化され難い界面活性剤としては、ノニオンＮＳ−２１０（ポリオキシエチレンノニルフェニルエーテル）や高純度のトリトンＸ−１００（ポリオキシエチレンイソオクチルフェニルエーテル、Ｓｉｇｍａ社製、Ｔ−９２８４）が例示できるが、これらに限定されない。酸化され難い界面活性剤の選別は、例えば界面活性剤の水溶液を遮光せずに例えば室温で保存し、生成される酸化物質を定量することにより実施可能である（実施例２参照）。また、透光性の密閉容器中で酸素置換後に露光条件下で撹拌することにより強制的に酸化させて、生成される酸化物質を定量することによっても選別可能である（実施例３参照）。本発明において単にトリトンＸ−１００というときは、高純度のトリトンＸ−１００（Ｓｉｇｍａ社製、Ｔ−９２８４）ではなく、酸化を受ける条件下で過酸化水素様物質を生成し得るものをいう。
【００１９】
　本発明において用いられる界面活性剤の濃度は、液状時における終濃度が１０重量／容量％〜０．００１重量／容量％となるように添加されていることが好適で、より好ましくは５重量／容量％〜０．００５重量／容量％で用いる。また、これら界面活性剤は単独で使用してもよく、または２種以上を組み合わせて使用してもよい。好ましくは、酵素、例えばリパーゼの失活や活性阻害などの作用をもたない界面活性剤を選択して用いる。
【００２０】
　本発明が適用されるエステラーゼは、リパーゼ、コレステロールエステラーゼが例示される。リパーゼは、リポプロテインリパーゼ（ＬＰＬ）、ホスホリパーゼ、膵リパーゼ、肝性トリアシルグリセロールリパーゼ（ＨＴＧＬ）、糖脂質分解リパーゼ、スフィンゴ脂質分解リパーゼ、およびホルモン感受性リパーゼなどのいずれであってもよいが、好ましくはＬＰＬである。また、リパーゼは、動物由来、ヒト血漿由来、または遺伝子工学的手法で調製されたもののいずれであってもよく、その由来、調製方法、および存在状態により限定されない。リパーゼの濃度は、その酵素活性が目的とする活性値に調整されていればよく、特に限定されない。
【００２１】
　液状において、エステラーゼを含有する脂質測定試薬には、通常、緩衝液が使用される。その種類は、ｐＨ４〜９の範囲に緩衝能をもつ緩衝剤を適宜選択して用いる。例えば、ＭＥＳ、ＨＥＰＥＳ、ＭＯＰＳ、ＢＩＳ−ＴＲＩＳ、ＴＲＩＳ、ＭＯＰＳＯ、またはＡＤＡなどから１種若しくは２種以上が選択され用いられる。また、適当な防腐剤を添加してもよい。防腐剤としては、アジ化ナトリウム、シプロフロキサシン、プロピオン酸若しくは安息香酸ナトリウムなどの中から１種若しくは２種以上が選択して用いられる。また、必要に応じて食塩などの塩や、アミノ酸、糖などの一般的な安定化剤などを含ませることもある。
【００２２】
　かくして得られたエステラーゼを含有する脂質測定試薬は、従来使用されているエステラーゼを含有する脂質測定試薬と比較して安定性が高く有用である。より具体的には、例えば、１０ｍＭ〜１０００ｍＭの緩衝液に、０．０１重量／容量％〜１０重量／容量％の界面活性剤、例えばトリトンＸ−１００を加え、抗酸化剤、例えばＢＨＴを１ｍＭ〜１０ｍＭ添加する。防腐剤を添加した後、溶液のｐＨを６〜７付近に調整して母液を調製する。この母液に目的とする濃度または活性量のエステラーゼを溶解し、エステラーゼ含有溶液を調製する。その溶液を適当な孔径のフィルターでろ過することもある。このようにして調製されたエステラーゼ溶液は、そのまま液状試薬としてあるいは凍結乾燥処理して乾燥製剤試薬として製剤化され使用に提供される。上記具体例は、本発明に係る組成物の一例を示すものであり、本発明はこの例に限定されるものではない。
【００２３】
　エステラーゼを含有する脂質測定試薬は、検体中の脂質成分、例えば中性脂質、コレステロール、リン脂質、糖脂質、およびスフィンゴ脂質など、並びにリポプロテインを定量する試薬として広く用いることが可能である。かくして本発明においては、上記脂質測定試薬を充填した１個またはそれ以上の容器を含んでなる試薬キットを提供可能である。本脂質測定試薬または本試薬キットは、製品での安定性や保存期間中の安定性が優れているため、測定試薬として最も重要な測定値の正確性や精密性が確保されている。
【００２４】
　具体的な脂質測定試薬としては、
ＡＴＰ、グルコース−６−リン酸脱水素酵素およびグリセロールキナーゼを含有する第１試薬と、エステラーゼ、界面活性剤、抗酸化剤、グルコース、ＮＡＤ（Ｐ）およびＡＤＰ依存ヘキソキナーゼを含有する第２試薬とからなる中性脂肪測定試薬、エステラーゼ、界面活性剤、抗酸化剤およびＮＡＤ（Ｐ）を含有する第1試薬と、コレステロール脱水素酵素を含有する第２試薬とからなる総コレステロール測定試薬、ＮＡＤ（Ｐ）を含有する第１試薬と、エステラーゼ、界面活性剤、抗酸化剤およびコレステロール脱水素酵素を含有する第２試薬とからなる高密度リポ蛋白質コレステロール測定試薬、エステラーゼ、界面活性剤、抗酸化剤、ＮＡＤ（Ｐ）およびＬＤＬ反応阻害剤を含有する第１試薬と、コレステロール脱水素酵素を含有する第２試薬とからなる低密度リポ蛋白質コレステロール測定試薬を挙げることができる。
【００２５】
　なお、ＬＤＬ反応阻害剤としては、エステラーゼとＬＤＬとの反応を阻害するものであればよく、硫酸カリクスアレン、ショ糖、ウシ血清アルブミン、カリクスアレン類、ポリアニオン、ポリエチレングリコール又はポリアニオンと二価のカチオンとの組合せを挙げることができる。ポリアニオン、ポリエチレングリコールとしてデキストラン硫酸、ヘパリンなどの硫酸多糖類、リンタングステン酸およびその塩、を挙げることができ、二価のカチオンの例としてＭｇ＋＋、Ｍｎ＋＋、Ｃａ＋＋、Ｎｉ＋＋などが挙げられる。
【００２６】
　また、カリクスアレン類としては、フェノールを基本骨格とし、フェノールの４〜８分子をメチレン基で環状に重合させた環状オリゴマーである。カリクスアレン類としては、カリクス（４）アレン〔Calix（４）arene〕、カリクス（６）アレン、カリクス（８）アレン、硫酸カリクス（４）アレン、硫酸カリクス（６）アレン、硫酸カリクス（８）アレン、酢酸カリクス（４）アレン、酢酸カリクス（６）アレン、酢酸カリクス（８）アレン、カルボキシカリクス（４）アレン、カルボキシカリクス（６）アレン、カルボキシカリクス（８）アレン、カリクス（４）アレンアミン、カリクス（６）アレンアミン、カリクス（８）アレンアミンなどが挙げられる。
【実施例１】
【００２７】
　非イオン系界面活性剤トリトンＸ−１００を添加したときのリポプロテインリパーゼの安定性を、遮光状態完全密閉容器に保存したトリトンＸ−１００とポリエチレン容器中に保存して卓上放置したトリトンＸ−１００について比較した。
【００２８】
　ＭＥＳ　５０ｍＭ、シュウ酸　１００ｍＭ、グルコース　８０ｍＭ、β−ＮＡＤＰ　６．０ｍＭ、アジ化ナトリウム　０．１％、ＡＤＰ依存性ヘキソキナーゼ　１０．０Ｕ／ｍＬ、およびリポプロテインリパーゼ　１５００Ｕ／ｍＬからなる水溶液（ｐＨ６．５）にトリトンＸ−１００（Ｒｏｈｍ＆Ｈａａｓ社）を無添加または０．５％（Ｗ／Ｖ）添加した中性脂質測定試薬の第２試薬（以下、サンプルと呼ぶ）を調製し、３７℃の条件下で６日間保存した後にリパーゼ活性を測定した。
【００２９】
　まず、上記サンプルをＭＥＳ　５０ｍＭ、０．１％ＢＳＡからなる水溶液（ｐＨ６．５）で１０倍希釈した調製液１０μｌに下記組成のリパーゼ活性測定用第一試薬３００μｌを添加し、３７℃で５分間反応させた。次いで、下記組成のリパーゼ活性測定用第二試薬５０μｌを添加し、その２分後より、主波長３４０ｎｍ／副波長６００ｎｍにおける吸光度変化量を測定することによりリパーゼ活性を測定した。
【００３０】
　リパーゼ活性測定用第一試薬（ｐＨ７．５）
────────────────────────────────
Ｂｉｃｉｎｅ　　　　　　　　　　　　　　　　　　５０．０ｍＭ
ＨＥＰＥＳ　　　　　　　　　　　　　　　　　　　２３．３ｍＭ
塩化カリウム　　　　　　　　　　　　　　　　　１００．０ｍＭ
塩化マグネシウム・６Ｈ２Ｏ　　　　　　　　　　　　８．１ｍＭ
グルコース　　　　　　　　　　　　　　　　　　　２７．０ｍＭ
トリトンＸ−１００　　　　　　　　　　　　　　０．２０８％
ＡＴＰ・２Ｎａ　　　　　　　　　　　　　　　　　　２．７ｍＭ
β−ＮＡＤＰ（酸化型）　　　　　　　　　　　　　　１．９ｍＭ
グリセロールキナーゼ　　　　　　　　　　　　　　　２．３Ｕ／ｍＬ
グルコース−６−リン酸脱水素酵素（Ｇ６ＰＤＨ）　　４．３Ｕ／ｍＬ
ＡＤＰ依存性ヘキソキナーゼ　　　　　　　　　　　　２．７Ｕ／ｍＬ
────────────────────────────────
【００３１】
　リパーゼ活性測定用第二試薬
──────────────────────────────
ハイレベルチェック・リピッド　　　９．０ｍＬの精製水にて溶解
（製造販売元　国際試薬株式会社）
──────────────────────────────
【００３２】
　結果は、上記溶液を２〜８℃で保存したときのリパーゼ活性を１００％としたときの残存活性として表し、表１に示した。完全密閉容器中で保存したトリトンＸ−１００を添加したときは、無添加のときよりリポプロテインリパーゼの安定性が増した。このことから、界面活性剤そのものにはリポプロテインリパーゼの安定化効果があることが明らかである。しかし、ポリエチレン容器中で卓上放置したトリトンＸ−１００を用いたときは、放置期間が長いもの程リポプロテインリパーゼの安定性が低下することが判明した。
【００３３】
（リポプロテインリパーゼの安定性への界面活性剤の効果：３７℃保存）
【００３４】
【表１】
2004089191.tif 000002
【実施例２】
【００３５】
　種々の界面活性剤を添加したときのリポプロテインリパーゼの安定性を測定した。種々の界面活性剤を用いて、サンプルを実施例１と同様の方法で調製し、３０℃の条件下で６日間保存した後に、リポプロテインリパーゼの残存活性を実施例１と同様に求め、リポプロテインリパーゼの安定性を比較した。
【００３６】
　また、用いた各界面活性剤の５％（Ｗ／Ｖ）水溶液中の過酸化水素様物質を定量した。過酸化水素様物質の定量は細菌由来ペルオキシダーゼを用いた酵素比色法により実施した。まず、サンプル２０μｌに、下記組成の第一試薬２００μｌを添加して３７℃で５分間反応させた。次いで、波長６００ｎｍにおける吸光度を測定した。その後、下記組成の第二試薬５０μｌを添加してさらに３７℃で５分間反応させ、波長６００ｎｍにおける吸光度を測定した。第二試薬の添加前と添加後の吸光度差から過酸化水素様物質を定量した。
【００３７】
　第一試薬（ｐＨ７．０）
───────────────────────
ＢＥＳ　　　　　　　　　　　　　　　９３９ｍｇ
Ｂｉｓ−Ｔｒｉｓ　　　　　　　　　　３２０ｍｇ
ＨＤＡＯＳ　　　　　　　　　　　　　　２４ｍｇ
牛血清アルブミン（ＢＳＡ）　　　　　２００ｍｇ
───────────────────────
　　　　　　　　　　　　　　合計　　１００ｍＬ
【００３８】
　ここで、ＨＤＡＯＳはＮ−（２−ヒドロキシ−３−スルホプロピル）−３，５−ジメトキシアニリン・ナトリウム塩である。
【００３９】
　第二試薬（ｐＨ７．０）
───────────────────────
ＢＥＳ　　　　　　　　　　　　　３７５．６ｍｇ
Ｂｉｓ−Ｔｒｉｓ　　　　　　　　１２８．０ｍｇ
４−アミノアンチピリン　　　　　１３０．４ｍｇ
ＢＳＡ　　　　　　　　　　　　　　８０．０ｍｇ
ペルオキシダーゼ　　　　　　　　　１５００Ｕ
───────────────────────
　　　　　　　　　　　　合計　　　　　４０ｍＬ
【００４０】
　このとき、３０％の過酸化水素（Ｈ２Ｏ２）を精製水で適宜希釈して標準液として用いた。
【００４１】
　結果は表２に示した。同じ界面活性剤でも相対的に過酸化水素様物質が多く含まれているものを添加したときの方が、リポプロテインリパーゼの安定性が低下した。同じ界面活性剤でも、保存状況や保存期間が違うために過酸化水素様物質の含量が異なっていた。リポプロテインリパーゼの残存活性と用いた界面活性剤中に含まれる過酸化水素様物質の量との間には、逆相関が認められた。
【００４２】
（リポプロテインリパーゼの安定性低下と界面活性剤水溶液中の過酸化水素様物質との関連）
【００４３】
【表２】
2004089191.tif 000003
【００４４】
　実施例１の結果と実施例２の結果より、界面活性剤水溶液中の過酸化水素様物質がリポプロテインリパーゼの失活に関連していることが示唆された。すなわち、界面活性剤の酸化により生成された酸化物質がリポプロテインリパーゼを失活させるものと考えられる。
【実施例３】
【００４５】
　界面活性剤を含む溶液中でのリポプロテインリパーゼの失活が界面活性剤の酸化により生成された酸化物質によるものであることを確認するために、強制的に酸化せしめた界面活性剤のリパーゼ安定性に対する影響を検討した。
【００４６】
　界面活性剤を強制的に酸化するために、トリトンＸ−１００（Ｒｏｈｍ＆Ｈａａｓ社）、高純度のトリトンＸ−１００（Ｓｉｇｍａ社製、Ｔ−９２８４）、またはノニオンＮＳ−２１０の１０％（Ｗ／Ｖ）水溶液をそれぞれ調製し、ガラス製の三角フラスコに移した後、酸素ガスにて置換し、密栓後、露光条件下でスターラーによる撹拌を行った。強制酸化を行わない界面活性剤水溶液は、調製して三角フラスコに移した後、アルゴンガス置換し、密栓後、遮光下で保存した。強制酸化した界面活性剤または強制酸化しないものを用いて実施例１と同様にサンプルを調製し、３７℃の条件下で６日間保存後に、リポプロテインリパーゼ残存活性を実施例１と同様に求め、リポプロテインリパーゼの安定性を比較した。また、各界面活性剤の１０％（Ｗ／Ｖ）水溶液中の過酸化水素様物質を実施例２と同じ方法で定量した。
【００４７】
　表３に示したように、界面活性剤の酸化により過酸化水素様物質が生成されること、また酸化されて過酸化水素様物質が増加した界面活性剤を用いるとリポプロテインリパーゼの安定性が著しく低下することが判明した。また、ノニオンＮＳ−２１０および高純度のトリトンＸ−１００は、強制酸化しても過酸化水素様物質の生成量が少ないため、リポプロテインリパーゼの安定性に影響しないことが明らかになった。
　この結果から、界面活性剤の酸化により生成される酸化物質がリポプロテインリパーゼの安定性を低下せしめること、また酸化を受ける条件下でも酸化物質を生成しない界面活性剤を用いることによりリポプロテインリパーゼの安定性を保持できることが分かった。
【００４８】
（界面活性剤の酸化によるリポプロテインリパーゼの安定性の低下）
【００４９】
【表３】
2004089191.tif 000004
【実施例４】
【００５０】
　界面活性剤を含有する溶液中でのリポプロテインリパーゼの安定性低下に対する各種化合物の効果を検討した。界面活性剤としてトリトンＸ−１００（Ｒｏｈｍ＆Ｈａｓｓ社）を０．５％（Ｗ／Ｖ）で用い、実施例１と同様に調製したサンプルに各種化合物を添加して３７℃の条件下で６日間保存後に、リポプロテインリパーゼ残存活性を実施例１と同様の方法で求め、リポプロテインリパーゼの安定性を比較した。
【００５１】
　抗酸化剤ブチルヒドロキシトルエン（ＢＨＴ）、α−トコフェロール、β−チオジグリコール、またはメチオニンを添加することにより、界面活性剤を含有する溶液中でのリポプロテインリパーゼの安定化効果が認められた。
【００５２】
（抗酸化剤添加によるリポプロテインリパーゼの安定性の向上：３７℃保存）
【００５３】
【表４】
2004089191.tif 000005
【００５４】
　以上の結果より、エステラーゼの安定性の向上が確認された中性脂質測定試薬及び総コレステロール測定試薬の組成を以下に示す。
中性脂質測定試薬の第１試薬はＨＥＰＥＳ　５０ｍＭ、塩化マグネシウム　１０ｍＭ、ノニオンＡ−１０Ｒ　３．５％、トライトンＸ−１００　１．２％、ホスホエノールピルビン酸　３ｍＭ、ＡＴＰ　３ｍＭ、Ｇ６ＰＤＨ　４Ｕ／ｍＬ、ピルビン酸キナーゼ　３Ｕ／ｍＬ、グリセロールキナーゼ１．５Ｕ／ｍＬからなる溶液（ｐＨ８．０）
第２試薬はＭＥＳ　５０ｍＭ、シュウ酸　１００ｍＭ、グルコース　８０ｍＭ、β−ＮＡＤＰ　６．０ｍＭ、アジ化ナトリウム　０．１％、ＡＤＰ依存ヘキソキナーゼ　１０Ｕ／ＭＬ、リポプロテインリパーゼ　１５００Ｕ／ＭＬ、トリトンＸ−１００（Ｒｏｈｍ＆Ｈａｓｓ社）０．５（Ｗ／Ｖ）％、ＢＨＴ　５ｍＭ（ｐＨ６．５）から構成される。
　また、総コレステロール測定試薬の第１試薬はＰＩＰＥＳ　２５ｍＭ、二塩化ヒドラジニウム　１００ｍＭ、ノニオンＡ−１０Ｒ　３％、トライトンＸ−１００　４％、コール酸ナトリウム　２０ｍＭ、β−ＮＡＤ　６ｍＭ、コレステロールエステラーゼ　２．５Ｕ／ｍＬ、ＢＨＴ　５ｍＭを含む溶液（ｐＨ７．０）、第２試薬はＴＡＰＳＨＥＰＥＳ　５０ｍＭ、コール酸ナトリウム　５ｍＭ、コレステロール脱水素酵素　１４Ｕ／ｍＬ（ｐＨ８．５）から構成される。
また組成を以下の表に示す。
【００５５】
【表５】
2004089191.tif 000006
【００５６】
【表６】
2004089191.tif 000007
【産業上の利用可能性】
【００５７】
　以上説示したように、本発明に係る脂質測定試薬は、長期間保存可能かつ正確性を有する臨床検査用試薬組成物の提供を可能とするため、極めて有用である。